(57)【要約】【課題】火災感知器に対するするアドレス等の設定、設定内容の確認、設定内容の修正等及び受信機に登録している感知器データの確認、修正等を、簡単且つ容易に行うことを可能とする。【解決手段】Ｒ型の火災感知器１２は、外部装置からの無線回線による通信接続を受けて情報を読み書きする無線タグ１６と、所定の感知器制御を行う感知器制御部と、無線タグ１６と感知器制御部を有線回線により接続して情報を伝送する有線インタフェースを備える。外部装置として携帯可能な設定装置１８を設け、火災感知器１２の無線タグ１６に通信接続して火災感知器１２の感知器アドレス等の所定の設定情報を無線タグ１６書き込んで感知器制御部により設定し、また火災感知器１２に設定データを無線タグから読み出して確認可能とする。【選択図】図１
2019036354.tif 000002
【特許請求の範囲】
【請求項１】
設置対象に配置された複数の感知器の配置図を表示可能な設定装置であって、
設定対象となる感知器に当該感知器のアドレスを、近距離無線通信を介して書き込み可能であり、
前記近距離無線通信を介して書き込むアドレスは、前記表示された配置図上で選択された感知器に対応して予め記憶しているアドレスであることを特徴とする設定装置。
【請求項２】
設置対象に配置された複数の感知器の配置図を表示可能な設定装置であって、
確認対象となる感知器から近距離無線通信を介して読み出した当該感知器に設定されたアドレスと、前記表示された配置図上で選択された感知器の予め記憶しているアドレスとを比較可能であることを特徴とする設定装置。
【請求項３】
請求項２記載の設定装置において、前記確認対象となる感知器に設定されたアドレスと、前記配置図上で選択された感知器のアドレスとが一致する場合は、前記確認対象となる感知器に設定されたアドレスが正常であることを表示することを特徴とする設定装置。
【請求項４】
発報した感知器のアドレスを特定可能な火災報知設備であって、
請求項１又は２記載の設定装置が使用可能であることを特徴とする火災報知設備。
【発明の詳細な説明】
【技術分野】
【０００１】
本発明は、受信機から引き出された伝送路に接続したアドレスを設定した火災感知器で火災を検知した場合に受信機で感知器アドレスを特定した火災警報を出力する火災報知設備及び設定装置に関する。
【背景技術】
【０００２】
従来、Ｐ型として知られた火災報知設備にあっては、受信機から引き出された感知器回線に複数の火災感知器を接続し、回線単位に火災感知器からの発報信号を受信して火災を警報するようにしている。
【０００３】
一方、Ｒ型として知られた火災報知設備にあっては、受信機から引き出された伝送路に、伝送機能を備えた火災感知器等の端末装置を接続し、火災検出時には、例えば火災感知器からの火災割込みに基づき、検索コマンドを発行して発報した火災感知器のアドレスを特定し、火災発生アドレスを表示すると共に、特定した火災感知器から火災データを収集して監視するようにしている。
【０００４】
このように、火災を検出した火災感知器のアドレスが分かると、適切な避難誘導や消火活動が可能となり、特に規模の大きな設備の火災監視には不可欠な機能となっている。
【０００５】
しかし、Ｐ型の火災報知システムにおいては、受信機ではどの感知器回線が火災発報したかが判るが、発報した火災感知器は判らないことから、Ｐ型の火災報知設備についても、火災発報した場合に感知器回線を使用してアドレス信号を送信する機能を備えたアドレッサブル火災感知器を設け、発報した火災感知器を特定できるようにしている。
【先行技術文献】
【特許文献】
【０００６】
【特許文献１】特開２００８−００４０３３号公報
【特許文献２】特開２０１０−１１４６３２号公報
【特許文献３】特開２００７−３２３３７９号公報
【発明の概要】
【発明が解決しようとする課題】
【０００７】
ところで、従来のＲ型火災報知設備やアドレッサブル火災感知器を設けたＰ型火災報知設備にあっては、設置対象とする建物や施設等の物件における火災報知設備の機器構成、機器接続及び機器配置等を含む物件データに基づき、設備工事の際に、監視区域に設置した火災感知器にアドレスを設定する作業を行っている。
【０００８】
しかしながら、火災感知器に対する感知器アドレスの設定は、天井面に設置した感知器ベースに装着している火災感知器を現場で取り外し、アドレス設定装置を火災感知器に信号線接続して設定しており、設備によっては数百台を超える火災感知器のアドレス設定を必要とし、手間と時間がかかる問題がある。
【０００９】
また、火災報知設備の施工が完了した最終段階では、火災感知器に正しいアドレスや感度が設定されていることを確認する作業を必要とする場合があり、この場合には各感知器を火災感知器に煙や熱等により火災発報させ、受信機で発報した火災感知器のアドレスを表示させることによりアドレスを確認する作業を行っており、相当な手間と時間がかかっている。
【００１０】
また、受信機側には、火災感知器を連動元とし、防排煙扉などを連動先とした連動データをメモリユニットに記憶しており、火災感知器の連動先を確認するためには、物件データを記載した工事仕様書等の書類を見て確認する必要があり、火災感知器について連動先を確認するには手間と時間がかかる問題がある。
【００１１】
また、火災報知設備によっては、一度設定した火災感知器のアドレス、感度、連動先等の感知器データを必要に応じて変更する場合があり、感知器データの修正には、同様に手間と時間がかかる問題がある。
【００１２】
本発明は、火災感知器に対するするアドレス等の設定、設定内容の確認、設定内容の修正等及び受信機に登録している感知器データの確認、修正等を、簡単且つ容易に行うことを可能とする火災報知設備及び設定装置を提供することを目的とする。
【課題を解決するための手段】
【００１３】
（設定装置１）
本発明は、設置対象に配置された複数の感知器の配置図を表示可能な設定装置であって、設定対象となる感知器に当該感知器のアドレスを、近距離無線通信を介して書き込み可能であり、近距離無線通信を介して書き込むアドレスは、表示された配置図上で選択された感知器に対応して予め記憶しているアドレスであることを特徴とする。
【００１４】
（設定装置２）
本発明は、設置対象に配置された複数の感知器の配置図を表示可能な設定装置であって、確認対象となる感知器から近距離無線通信を介して読み出した当該感知器に設定されたアドレスと、表示された配置図上で選択された感知器の予め記憶しているアドレスとを比較可能であることを特徴とする。
【００１５】
確認対象となる感知器に設定されたアドレスと、配置図上で選択された感知器のアドレスとが一致する場合は、確認対象となる感知器に設定されたアドレスが正常であることを表示する。
【００１６】
（火災報知設備）
本発明は、発報した感知器のアドレスを特定可能な火災報知設備であって、上記設定装置１又は設定装置２が使用可能であることを特徴とする。
【発明の効果】
【００１７】
（火災報知設備の効果）
本発明は、受信機から引き出された伝送路に固有の感知器アドレスを設定した火災感知器を接続し、火災感知器で火災を検出した場合に、火災を検出した火災感知器の感知器アドレスを特定した火災警報を出力する火災報知設備に於いて、火災感知器は、外部装置からの無線回線による通信接続を受けて情報を読み書きする無線タグと、所定の感知器制御を行う感知器制御部と、無線タグと感知器制御部を有線回線により接続して情報を伝送する有線インタフェースとを備え、更に、外部装置として、火災感知器の無線タグに通信接続して火災感知器に所定の設定情報を書き込むと共に火災感知器に設定している設定情報を読み出す携帯可能な設定装置を設けるようにしたため、設定装置を火災感知器に近づけるだけで無線タグに通信接続して、火災感知器に対するアドレス等の情報の設定、設定したアドレス等の情報の確認、設定したアドレス等の情報の修正等を、天井面に設置している感知器ベースから火災感知器を取り外すことなく、簡単且つ容易に行うことを可能とし、火災感知器のアドレス等の情報の設定に関連する作業を効率良く行うことを可能とする。
【００１８】
（無線タグの書換えフラグによる効果）
また、火災感知器に設けた無線タグは、設定装置による情報の書き換えを受けた場合に書換えフラグを設定し、感知器制御部は、無線タグにアクセスして書換えフラグを検出した場合に、無線タグに記憶している情報を読み出して処理するようにしたため、設定装置を使用して火災感知器にアドレス等の設定したい情報を書き込むだけで、感知器制御部が自動的に無線タグに書き込んだ情報を読み出して設定し、また設定した情報を無線タグに読出して設定装置で確認可能とする。
【００１９】
また、火災感知器の感知器制御部は、通常時は、無線タグ内の書き換えフラグのみを参照すれば良いため、感知器制御部と無線タグ間の通信時間を減らすことができ、感知器制御部及び無線タグの双方の消費電流の低減を可能とする。
【００２０】
（無線タグと感知器制御部の動作電源による効果）
また、感知器制御部は受信機から供給される電源により動作し、無線タグは、設定装置からの受信電波により生成した電源により動作し、感知器制御部が受信機からの電源で動作していない場合にも設定装置からの無線回線による接続を受けて無線タグの情報を読み書き可能とするようにしたため、火災感知器を例えば段ボール箱等に収納した状態であっても、外部からアドレス等の必要な情報を簡単且つ容易に設定可能とし、現場に設置して設定作業を行う場合に比べ、手間と時間を低減可能とする。
【００２１】
（有線インタフェースの動作電源による効果）
また、有線インタフェースは、受信機から供給される電源により動作するようにしたため、受信機から供給される電源により有線インタフェースを確実に動作して無線タグと感知器制御部との間の伝送を可能とする。
【００２２】
（感知器アドレスの設定と読出による効果）
また、設定装置は、火災感知器の感知器アドレス、感度及び連動先を含む感知器情報を火災報知設備の物件情報として予め記憶しており、物件情報に基づき設定対象とする火災感知器を選択して感知器アドレスを取得し、設定対象とした火災感知器の無線タグに感知器アドレスを書き込み、感知器制御部により無線タグから感知器アドレス読み出して設定させるようにしたため、物件情報に含まれる火災感知器のアドレスを工事仕様書等の書類で調べることなく、設定装置に記憶している物件情報から例えば対象区域の配置図を表示させ、その中にシンボル等で表示している設定対象とする火災感知器を指のタッチ操作などで選択することで、アドレスを取得してバッファに書き込み、この状態で火災感知器の無線タグに書き込む操作を行うことで、物件情報に基づく正しいアドレスを、対応する火災感知器に正確且つ簡単に設定可能とする。
【００２３】
（感知器アドレスの修正による効果）
また、設定装置は、火災感知器の感知器アドレス、感度及び連動先を含む感知器情報を火災報知設備の物件情報として予め記憶しており、火災感知器の無線タグから感知器アドレスを読み出して物件情報の対応する火災感知器の感知器アドレスに一致しない場合は、無線タグから読み出した感知器アドレスを修正した後に、火災感知器の無線タグに書き込み、感知器制御部により無線タグから修正した感知器アドレス読み出して設定させるようにしたため、警戒区域の設置している火災感知器に正しいアドレスが設定されているか否かを物件情報との比較で簡単且つ確実に確認でき、もし設定ミスがあった場合には、アドレスを修正して無線タグに書き込むことで火災感知器のアドレスを正しいアドレスに簡単に変更可能とする。
【００２４】
（感知器情報の表示による効果）
また、設定装置は、火災感知器の感知器アドレス、感度及び連動先を含む感知器情報を火災報知設備の物件情報として予め記憶しており、火災感知器の無線タグから感知器アドレスを読出した場合に、感知器アドレスに対応する感度、連動先を含む感知器情報を物件情報から検索して表示するようにしたため、警戒区域に設置したままで火災感知器のアドレスや感度を設定装置に読出し表示して確認できると共に、設定装置に記憶している物件情報から読み出した連動先を表示して確認可能であり、更に、連動先については、設備配置図により感知器シンボルと連動先の例えば防火戸等をリンク表示することで、火災感知器と連動先との関係を明確に認識可能とする。
【００２５】
（設定情報の修正と受信機の同期による効果）
また、設定装置は、火災感知器の感知器アドレス、感度及び連動先を含む感知器情報を火災報知設備の物件情報として予め記憶しており、修正対象とする火災感知器を選択して物件情報から感度、連動先を含む所定の感知器情報を取得して修正した場合、受信機の対応する感知器情報に修正を反映して同期させるようにしたため、設定装置上で修正した火災感知器の感度や連動先等の感知器情報を、受信機に記憶している感知器情報と一致させ、正しい感知器情報に従った火災監視と火災を検知した場合の連動制御を可能とする。
【００２６】
（火災感知器の履歴ログによる効果）
また、火災感知器の感知器制御部は、火災を含むイベントを検出した場合に無線タグにイベントの履歴情報を書き込み、設定装置は、前火災感知器の無線タグに通信接続した場合に、無線タグに記憶している履歴情報を読み出して保存するようにしたため、設備の運用中における火災感知器の火災発報、火災復旧、障害等の履歴情報を簡単に収集してサーバ等に保存することで、履歴情報を利用した非火災報の原因解析や火災進展状況等の解析等に活用可能とする。
【００２７】
（火災感知器による効果）
本発明は、受信機から引き出された伝送路に接続され、火災を検出した場合に予め設定したアドレスを含む火災信号を受信機に送信して火災警報を出力させる火災感知器に於いて、外部装置と無線回線により接続して情報を読み書きする無線タグと、所定の感知器制御を行う感知器制御部と、前記無線タグと前記感知器制御部を有線回線により接続して情報を伝送する有線インタフェースとを設けるようにしたため、前述した火災報知設備における火災感知器によると同じ効果が得られる。
【図面の簡単な説明】
【００２８】
【図１】本発明による火災報知設備の概要を示した説明図
【図２】火災感知器の機能構成を示したブロック図
【図３】設定装置の機能構成を示したブロック図
【図４】設定装置による火災感知器に対する設定制御を示したフローチャート
【発明を実施するための形態】
【００２９】
［火災報知設備］
（火災報知設備の概要）
図１は本発明による火災報知設備の概要を示した説明図である。図１に示すように、火災報知設備が設置された建物の一階の管理人室などには例えばＲ型の受信機１０が設置され、受信機１０から各階の系統毎に伝送回線（信号線）ＳＬ１〜ＳＬｎが引き出され、伝送回線ＳＬ１〜ＳＬｎの各々に、感知器ベース１４を介してＲ型の火災感知器１２を接続している。
【００３０】
伝送回線ＳＬ１〜ＳＬｎで決まる系統毎に設けたｍ台の火災感知器１２には固有のアドレスＡ１〜Ａｍが予め割当てられており、一系統当りの最大アドレス数は例えば１２７としている。
【００３１】
（無線タグと設定装置の概要）
火災報知設備に設けた火災感知器１２は、無線タグ１６を内蔵している。また無線タグ１６を利用してアドレスの設定、読出し、修正等を行う携帯型の設定装置１８を設けている。
【００３２】
無線タグ１６は例えば電池を内蔵しないパッシブタブ（受動タブ）であり、設定装置１８からの電波を受信して電源を生成して動作し、近距離通信を用いた情報の送受信により内蔵した不揮発性のメモリに対する情報の書き込みと読出しを行う。
【００３３】
また、火災感知器１２に実装しているＣＰＵ、メモリ及び各種の入出力ポートを備えた感知器制御部（プロセッサ）と無線タグ１６を有線インタフェースにより接続しており、感知器制御部が無線タグ１６にアクセスしてメモリからの情報の読出しと書込みを可能としている。
【００３４】
設定装置１８は、携帯可能なハンディタイプの装置であり、液晶ディスプレイ等の表示部と、マトリクス配置した操作キー等を備えた操作部を設け、火災感知器１２に対し通信接続可能な所定距離以内（例えば，１メートル以内）に近づいた状態で無線タグ１６と通信接続して、各種の情報の読出しや書込みによる設定を可能とする。
【００３５】
ここで、無線タグ１６及び設定装置１８による通信は、例えば９００ＭＨｚのＵＨＦ帯のチャンネル周波数を使用する。
【００３６】
（受信機の機能構成）
受信機１０は、受信制御部２０、伝送部２２、操作部２４、表示部２６、警報部２８、移報部３０、メモリユニット３２及びＬＡＮ通信部３４を備える。
【００３７】
受信制御部２０はＣＰＵ、メモリ、各種の入出力ポート等を備えたコンピュータ回路等とする。伝送部２２は、伝送回線ＬＳ１〜ＬＳｎに感知器ベース１４を介して接続した火災感知器１２との間で、所定の通信プロトコルに従って信号を送受信する。
【００３８】
メモリユニット３２には火災報知設備の機器構成、機器配置及び設定情報等を含む物件データに基づいて生成した連動元感知器と連動先機器を示す連動データ、火災感知器の感度データ等の感知器データ（感知器情報）を予め記憶している。
【００３９】
ＬＡＮ通信部３４はＬＡＮ回線３６を介して受信制御部２０と外部の管理サーバや設定装置１８と接続して例えばイーサネット（登録商標）によりデータ伝送を行う。
【００４０】
受信制御部２０は、プログラムの実行により実現される機能であり、伝送回線ＳＬ１〜ＳＬｎで決まる系統毎に、所定の周期のデータ検知タイミングで一括ＡＤ変換コマンド信号を送信して火災感知器１２が検知対象として煙や熱のアナログ検知信号をＡＤ変換して煙または温度の検知データとして保持させ、続いてアドレスＡ１〜Ａｍを順次指定したポーリングコマンド信号により、火災感知器１２に保持している検知データを収集し、収集した検知データを予め設定した火災閾値と比較し、火災閾値を超えた場合に火災発報と判断し、表示部２６に火災警報表示を行わせると共に、警報部２８から音響火災警報を出力させ、更に表示部２６に感知器アドレスで特定した火災発生地区を表示させる制御を行う。
【００４１】
［火災感知器］
（火災感知器の機能構成）
図２は火災感知器の機能構成を示したブロック図である。図２に示すように、火災感知器１２は、天井面に設置した感知器ベース１４に対し嵌合端子により着脱自在に装着され、感知器ベース１４を介して受信機からの伝送回線ＳＬに接続している。
【００４２】
火災感知器１２には、感知器制御部３８、伝送部４０、整流・ノイズ吸収部４２、定電圧回路部４４、センサ部４６、Ｉ／Ｆ回路部（インタフェース回路部）４８及び無線タグ１６を備える。
【００４３】
感知器制御部３８はＣＰＵ、メモリ、各種の入出力ポート等を備えたコンピュータＩＣ等とする。
【００４４】
伝送部４０は図１に示した受信機１０との間で所定の通信プロトコルに従って信号を送受信する。整流・ノイズ吸収部４２は、例えばダイオードブリッジ、ツェナーダイオード、コンデンサなどにより伝送回線ＳＬとの接続を無極性化し、さらにノイズを抑える。
【００４５】
センサ部４６は火災による煙または温度を検出してアナログ検出信号を出力する。例えば、煙検出の場合には散乱光式検煙機構が設けられ、温度検知の場合はサーミスタなどの温度検知素子が設けられる。
【００４６】
感知器制御部３８は、プログラムの実行により実現される機能であり、伝送部４０を介して受信機１０から自己アドレスを指定した一括ＡＤ変換コマンド信号の受信を判別した場合に、センサ部４６からの検知アナログ信号をＡＤ変換により読み込んで検知データとして内部のメモリに保持し、続いて受信機から自己アドレスを指定した火災データ要求信号であるポーリングコマンド信号の受信を判別した場合に、内部のメモリに保持している検知データを伝送部４０から受信機へ応答送信する制御を行う。
【００４７】
（無線タグの構成）
火災感知器１２に設けた無線タグ１６は、タグ制御部５０、アンテナ５４を接続したタグ通信部５２、アンテナ５４を接続した整流部５６、メモリ５８及びＩ／Ｆ回路部（インターフェース回路部）６０を備える。
【００４８】
タグ制御部５０はＣＰＵ、各種の入出力ポート等を備えたコンピュータＩＣ等とする。タグ通信部５２は、例えば９００ＭＨｚ帯の特定小電力無線局の標準規格に準拠して電文を送受信する。メモリ５８は不揮発メモリを使用する。アンテナ５４は感知器回路を実装した回路基板自体をアンテナとしている。
【００４９】
整流部５６はアンテナ５４で受信した設定装置１８からの電波による受信信号を整流してタグ制御部５０、タグ通信部５２及びメモリ５８に電源を供給して動作させる。
【００５０】
無線タグ１６と感知器制御部３８との間で情報を双方向に伝送する有線インタフェースは、感知器制御部３８側に設けたＩ／Ｆ回路部４８、無線タグ１６に設けたＩ／Ｆ回路部６０、感知器制御部３８にインストールしたインタフェース制御用のソフトウェアで構成する。
【００５１】
このための有線インタフェースは、例えばＩ２Ｃ（アイ・スクエアー・シー）として知られたフィリップス社で開発されたシリアルバス・インタフェースが使用できる。
【００５２】
Ｉ２Ｃによる有線インタフェースは、シリアルデータ用とクロック用の２本の信号線でＩ／Ｆ回路部４８，６０の間を接続しており、２本の信号線は定電圧回路部４４からの電源ラインに対し抵抗を介してプルアップしている。Ｉ／Ｆ回路部４８，６０には、データ用とクロック用に分けて送信用のドライバと受信用のレシーバを設けている。インタフェース制御用のソフトウェアをインストールした感知器制御部３８がマスタとなり、Ｉ／Ｆ回路部６０を接続した無線タグ１６のメモリ５８にアクセスして情報の読み書きを行う。
【００５３】
なお、無線タグ１６と感知器制御部３８との間で情報を双方向に伝送する有線インタフェースとしては、Ｉ２Ｃ以外に、適宜のシリアル伝送を行う適宜の有線インタフェースを使用しても良い。
【００５４】
ここで、タグ制御部５０はタグ通信部５２による外部の設定装置１８との通信接続によりメモリ５８に新たに情報を書き込んだ場合、或いはメモリ５８に記憶している情報を書き換えた場合、メモリ５８の所定アドレスに書換えフラグを設定（記憶）する。
【００５５】
感知器制御部３８は有線インタフェースのＩ／Ｆ回路部４８，６０を経由してメモリ５８の書換えフラグの有無を定期的に監視しており、書換えフラグの設定を検出すると、メモリ５８の書換えられた情報を読出して所定の処理を実行する制御を行う。
【００５６】
（無線タグを経由した情報処理）
無線タグ１６を経由して感知器制御部３８と外部の設定装置１８との間で行う情報のやり取りには次のものがある。
（１）  火災感知器１２のアドレスの書込みと読出し。
（２）  火災感知器１２のイベント発生に基づく履歴ログの書込みと読出し。
【００５７】
また、火災感知器１２に対する感知器アドレスの設定は、設定装置１８により無線タグ１６のメモリ５８に物件データから取得した感知器アドレスを無線タグ１６のメモリ５８に書き込んで書込みフラグを設定し、この書込みフラグを検出した感知器制御部３８が無線タグ１６のメモリ５８から感知器アドレスを読み出して設定する。この場合、感知器制御部３８により感知器アドレスの設定が終了しても、無線タグ１６のメモリ５８には設定装置１８が書き込んだ感知器アドレスが保持されており、必要に応じて設定装置１８により無線タグ１６からの感知器アドレスの読出しを可能としている。
【００５８】
また、火災感知器１２の履歴情報については、感知器制御部３８で火災発報、火災復旧、試験、障害等のイベント発生を検出した場合に、必要な制御処理を行った後に年月日時分秒の時刻情報とイベント内容からなる履歴情報を生成し、無線タグ１６のメモリ５８にアクセスして記憶する。無線タグ１６のメモリ５８に記憶した履歴情報は、火災報知設備の定期点検を行う場合などに、設定装置１８により読み取られ、製造元の管理サーバ等に保続され、利用可能とする。
【００５９】
［設定装置］
（設定装置の機能構成）
図３は設定装置の機能構成を示したブロック図である。図３に示すように、火災感知器に設けた無線タグのリーダ・ライタとして機能する携帯可能な設定装置１８は、設定制御部６２、アンテナ６６を接続したタグ通信部６４、液晶ディスプレイ６８、タッチパネル７０、表示部７２、操作部７４、サーバ等の外部装置と通信接続するＬＡＮ通信部７６、電源部７８、ＬＡＮコネクタ部８０及び電源コネクタ部８２を備える。
【００６０】
設定制御部６２はＣＰＵ、メモリ、各種の入出力ポート等を備えたコンピュータ回路等とする。タグ通信部６４は、例えば９００ＭＨｚ帯の特定小電力無線局の標準規格に準拠して電文を送受信する。
【００６１】
液晶ディスプレイ６８は、火災感知器１２の感知器アドレスの設定操作、感知器アドレスの確認、感知器アドレスの修正、履歴ログの読出し、物件図面及び図面上の機器配置の表示、感知器データの修正と受信機に対する修正データの同期等の表示を可能とする。また、タッチパネル７０付きの液晶ディスプレイ６８を使用することで、表示画面を利用した操作を可能とする。表示部７２には電源灯を含む各種の表示灯を設けている。
【００６２】
操作部７４は、数字及びアルファベットを入力可能な操作キーを配置しており、火災感知器１２のアドレスを含む各種の感知器情報の設定、確認、修正等に必要な操作を可能とする。
【００６３】
ＬＡＮ通信部７６は、ＬＡＮコネクタ部８０を介して図１に示した受信機１０のＬＡＮ通信部３４と接続し、イーサネット（登録商標）に従って感知器データのメモリユニット３２に対する感知器データ同期のためのデータ伝送を行う。
【００６４】
電源部７８は電池電源を備えており、携帯して使用する場合は電池電源により動作し、必要に応じて電源コネクタ部８２にＡＣアダプタを接続して使用可能とする。
【００６５】
設定制御部６２は、コンピュータ回路によりプログラムの実行により実現される機能であり、そのメモリに火災報知設備の感知器アドレス、感度及び連動先を含む感知器データ、機器構成、機器接続、機器配置等を備えた物件データ（物件情報）を予め記憶しており、例えば次の制御を行う。
（１）  火災感知器１２の感知器アドレスの設定、確認、修正を行う制御。
（２）  感知器アドレスに対応した感度、連動先等を含む感知器データの表示、確認、修正を行う制御。
（３）  感度、連動先等の感知器データの修正と修正データと受信機データを同期（一致）させる制御。
（４）  火災感知器１２からの履歴情報を読出して、表示、保存する制御。
【００６６】
これらの制御を説明すると次のようになる。
【００６７】
（感知器アドレスの設定）
設定装置１８の設定制御部６２は、物件データに基づき、アドレス設定対象とする火災感知器を選択する操作の受付を検出した場合、選択した感知器アドレスを取得してバッファに書込み、アドレス設定対象とする火災感知器１２の無線タグ１６と通信接続可能な距離に近接した状態で、火災感知器１２の無線タグ１６にアクセスしてメモリ５８に感知器アドレスを書き込むと共に書換えフラグを設定させ、感知器制御部３８により無線タグ１６から感知器アドレスを読み出して自己のメモリに記憶することで設定させる制御を行う。
【００６８】
この場合、設定制御部６２は、例えば物件データからアドレス対象感知器を含む配置図を読み出して液晶ディスプレイ６８に表示し、配置図上に表示されている感知器シンボルの中から設定対象とする感知器シンボルを選択して指先でタッチする操作を検出すると、その感知器アドレスを画面表示されると共にバッファに書き込み、画面表示されているアドレス設定釦をタッチする操作を検出することで、火災感知器１２の無線タグ１６に感知器アドレスを書き込む制御を行う。
【００６９】
（感知器アドレスの確認と修正）
設定装置１８の設定制御部６２は、アドレス確認対象とするアドレス設定済みの火災感知器１２の無線タグ１６と通信接続可能な距離に近接した状態で、火災感知器のアドレス読出し操作を検出すると、その火災感知器１２の無線タグ１６にアクセスしてメモリ５８から設定済みのアドレスを読み出して表示し、続いて、物件データの配置図の感知器シンボルをタッチする操作を検出して物件データの感知器アドレスを取得し、両者を比較して一致する場合は設定アドレス正常を表示させる制御を行う。
【００７０】
一方、設定制御部６２は、無線タグ１６からの感知器アドレスと物件データからの感知器アドレスの不一致を検出した場合は、物件データの感知器アドレスが正しいことから、物件データの感知器アドレスを修正アドレスとしてバッファに書き込み、アドレス修正操作を検出すると、火災感知器１２の無線タグ１６にアクセスして修正した感知器アドレスをメモリ５８に書き込み、感知器制御部３８により無線タグ１６から修正した感知器アドレスを読み出して自己のメモリに設定させる制御を行う。
【００７１】
なお、設定装置１８による感知器アドレスの修正は、火災感知器１２の無線タグ１６から読み出した感知器アドレスを物件データのアドレスと比較せずに係員が修正操作を行って火災感知器１２に再度設定するようにしても良い。この場合、設定装置１８は修正した感知器アドレスを物件データに反映させて修正する制御を行う。
【００７２】
また、設定制御部６２は、感知器感度についても、物件データの配置図の感知器シンボルの選択により感知器感度を検索し、必要に応じて感知器感度を修正し、修正後に火災感知器１２の無線タグ１６に書き込み、感知器制御部３８により無線タグ１６から読み出して感知器感度を修正させ、また、物件データの感知器感度を修正する制御を行う。
【００７３】
（感知器情報の確認）
設定装置１８の設定制御部６２は、物件データに基づき配置図に表示した感知器シンボルをタッチする感知器選択操作を検出した場合、物件データから感知器アドレス、感度及び連動先等の感知器データを検索して液晶ディスプレイ６８に画面表示する制御を行う。特に火災感知器の連動先について、設定制御部６２は、物件データの配置図上の感知器シンボルに連動先の機器をラインで連結して示す連動先の表示を行うように制御する。
【００７４】
（設定情報の修正と受信機の同期）
設定装置１８の設定制御部６２は、物件データの感知器アドレス、感度及び又は連動先を修正した場合、液晶ディスプレイ６８上に受信機１０のメモリユニット３２に記憶している感知器アドレス、感度及び又は連動先との不一致を示す未同期データありを表示する制御を行う。
【００７５】
設定制御部６２は、液晶ディスプレイ６８上に未同期データありを表示している状態で、ＬＡＮコネクタ部８０をＬＡＮ回線３６に接続して受信機１０のＬＡＮ通信部３４と通信接続可能な状態で、操作部７４による同期操作の受付けを検出すると、同期対象となっている感知器アドレス、感度及び又は連動先を示す同期データを受信機１０の受信制御部２０に伝送し、メモリユニット３２の対応する感知器アドレス、感度及び又は連動先を修正データに書き換えて設定装置１８に記憶している物件データに同期させる制御を行う。
【００７６】
ここで、設定装置１８から受信機１０に伝送する同期データは、感知器アドレスの場合は修正前と修正後の感知器アドレスを含み、感度の場合は感知器アドレスと修正した感度を含み、連動先の場合は感知器アドレスと修正した連動先を含むようにする。
【００７７】
（火災感知器の履歴ログ）
設定装置１８の設定制御部６２は、履歴情報の読出操作の受付を検出した場合、火災感知器１２の無線タグ１６に履歴情報の読出し要求を送信し、タグ制御部５０によりメモリ５８に記憶している履歴情報を感知器アドレスと共に読み出して送信させ、これを受信して保存する制御を行う。設定装置１８に保存した火災感知器の履歴情報は、製造元の管理サーバ等にＬＡＮ回線を介して伝送して保存し、火災の解析、非火災報の解析などに利用可能とする。
【００７８】
［設定装置の制御動作］
図４は設定装置による制御動作を示したフローチャートであり、設定装置１８を登録モード、確認モード及び修正モードの三つのモードに分けて動作する場合を例にとっている。
【００７９】
（登録モード）
図４に示すように、設定装置１８の設定制御部６２は、ステップＳ１（以下「ステップ」は省略）で利用者による例えばアドレスの登録モードの選択操作を検出すると、続いてＳ２で予め記憶している物件データの配置図を表示し、Ｓ３で配置図に表示している登録対象とする感知器シンボルのタッチ操作を検出すると、タッチ操作した感知器シンボルのアドレス、感度などの設定データを表示すると共にＳ４でバッファに書き込み、続いてＳ５で火災感知器１２の無線タグ１６に設定データを書き込む。
【００８０】
この設定装置１８による設定データの書き込みを受けて無線タグ１６のタグ制御部５０はメモリ５８に設定データを書き込むと共に書き換えフラグを設定する。感知器制御部３８は無線タグ１６のメモリ５８に定期的にアクセスして書き換えフラグの有無を監視しており、書き換えフラグを検出すると、メモリ５８に書き込まれた設定データを読み出して設定する設定制御を行う。なお、無線タグ１６のメモリ５８に書き込まれた感知器アドレス、感度等の設定データは不揮発記憶により保持されている。
【００８１】
（確認モード）
設定装置１８の設定制御部６２は、Ｓ６で利用者による感知器設定データの確認モードの選択操作を検出すると、Ｓ７で火災感知器１２の無線タグ１６から感知器アドレス、感度等の設定データを読出して液晶ディスプレイ６８に表示する。続いてＳ８で設定装置１８に記憶している物件データの配置図を表示し、Ｓ９で確認対象とする配置図上の感知器シンボルにタッチする選択操作を検出すると物件データから選択した火災感知器の感知器アドレス、感度及び連動先等を含む感知器データを検索して液晶ディスプレイ６８上に火災感知器１２の無線タグから読み出した設定データと比較表示する。
【００８２】
この比較表示により利用者は火災感知器１２から読み出した感知器アドレスや感度等の設定データが物件データから検索した感知器アドレスや感度等の感知器データに一致していることを確認できる。一方、火災感知器１２から読出した設定データが物件データから検索した感知器データに不一致の場合は、Ｓ１０で利用者による設定データの修正操作を検出し、Ｓ１４に進む。
【００８３】
（修正モード）
設定装置１８の設定制御部６２は、Ｓ１１で利用者による感知器設定データを修正する修正モードの選択操作を検出すると、Ｓ１２で物件データの配置図を表示し、Ｓ１３で修正対象とする感知器シンボルのタッチ操作を検出すると、Ｓ１４で物件データから選択した火災感知器の感知器アドレス、感度及び連動先等を含む感知器データを検索して表示する。
【００８４】
続いてＳ１４で感知器データとして表示している例えば感知器アドレス、感度又は連動先のいずれかの選択による修正を検出すると、受信機１０の感知器データとの未同期を表示し、Ｓ１５で受信機１０にＬＡＮ回線を介して接続し、修正データを伝送して受信機１０のメモリユニット３２の物件データを修正して同期させ、同期完了を表示する。
【００８５】
続いてＳ１６に進み、火災感知器１２の無線タグ１６にアクセスし、受信機１０との同期が完了した修正データを描き込み、火災感知器１２の設定データを修正して設定変更する。なお、修正データの中の連動先は火災感知器には設定していないことから、火災感知器１２に対する修正データの書き込み対象からは除外する。
【００８６】
なお、確認モードＳ６からの処理によりＳ１０で修正操作を検出した場合は、Ｓ１４に進んで、同様に感知器データの修正、受信機の感知器データとの同期、火災感知器に対する修正データの書き込みによる設定変更を行う。
【００８７】
続いてＳ１７でシャットダウン操作を検出するまでＳ１からの処理を繰り返し、シャットダウン操作を検出すると処理を終了する。
【００８８】
［本発明の変形例］
（アドレッサブル火災感知器）
上記の実施形態は、Ｒ型の火災受信機に伝送路を介してＲ型の火災感知器を接続した火災報知設備を例にとっているが、Ｐ型の火災受信機から引き出した感知器回線にアドレスを設定すると共に伝送機能を備えたアドレッサブル火災感知器を接続した火災報知設備についても同様に適用できる。この火災報知設備では、受信機からアドレッサブル火災感知器に伝送する下り信号は回線電圧の変化による電圧モードのパルス列として伝送し、一方、アドレッサブル火災感知器から受信機へ伝送する上り信号は、回線電流の変化による電流モードの電流パルス列として伝送し、通信品質が低いＰ型の感知器回線であっても、確実にコマンドやデータの伝送を可能としている。
【００８９】
（無線タグ）
上記の実施形態は、電波受信信号を整流して得た電源で動作するパッシブタブ（受動タグ）の無線タグを例にとっているが、受信機から火災感知器に供給される電源により動作するアクティブタグ（能動タグ）を使用しても良い。
【００９０】
（設定装置）
上記の実施形態は、専用の設定装置を使用して火災感知器に設けた無線タグにアクセスして読み書きし、また受信機との間でＬＡＮ通信によりデータ同期を行う場合を例にとっているが、無線タグとの通信機能及び受信機とのＬＡＮ通信機能を備えたタブレット端末等の適宜の携帯端末機器を利用するようにしても良い。
【００９１】
（その他）
また本発明はその目的と利点を損なうことのない適宜の変形を含み、更に上記の実施形態に示した数値による限定は受けない。
【符号の説明】
【００９２】
１０：受信機
１２：火災感知器
１４：感知器ベース
１６：無線タグ
１８：設定装置
２０：受信制御部
２２，４０：伝送部
３２：メモリユニット
３４，７６：ＬＡＮ通信部
３８：感知器制御部
４６：センサ部
４８，６０：Ｉ／Ｆ回路部
５０：タグ制御部
５２，６４：タグ通信部
５６：整流部
５８：メモリ
６２：設定制御部
６８：液晶ディスプレイ
７０：タッチパネル
７８：電源部
【図１】
2019036354.tif 000003
【図２】
2019036354.tif 000004
【図３】
2019036354.tif 000005
【図４】
2019036354.tif 000006